(57)【要約】【課題】安定して臀部を支えることができる程度の半身浴用腰掛部を浴槽内に設けているにも関わらず、上肢、下肢ともに力の入っていない楽な状態で入浴できる浴槽を提供する。【解決手段】平面視略長方形状の浴槽１の短辺側の両内壁面のうち、一方側を背凭れ用内壁面２ａとすると共に、他方側を足先置き用内壁面２ｂとする浴槽１において、浴槽底面４と足先置き用内壁面２ｂとのなす角部の浴槽１の短辺方向の中央部に半身浴用腰掛部５を設け、平面視略長方形状の浴槽１の長辺側の両内壁面２ｃと、該両内壁面２ｃに対向する該半身浴用腰掛部５の両側面５ｃとの間に夫々足先配置用隙間６を設ける。【選択図】図１
2010253066.tif 000002
【特許請求の範囲】
【請求項１】
平面視略長方形状の浴槽の短辺側の両内壁面のうち、一方側を背凭れ用内壁面とすると共に、他方側を足先置き用内壁面とする浴槽において、浴槽底面と足先置き用内壁面とのなす角部の浴槽の短辺方向の中央部に半身浴用腰掛部を設け、平面視略長方形状の浴槽の長辺側の両内壁面と、該両内壁面に対向する該半身浴用腰掛部の両側面との間に夫々足先配置用隙間を設けたことを特徴とする半身浴用腰掛部付き浴槽。
【請求項２】
上記半身浴用腰掛部の足先置き用内壁面からの突出先端側が、突出基部側よりも、幅が狭くなっていることを特徴とする請求項１記載の半身浴用腰掛部付き浴槽。
【請求項３】
上記半身浴用腰掛部が、足先置き用内壁面から突出させた基部側突出部と、該基部側突出部の突出先端面から浴槽内方に向けて突出させた先端側突出部からなり、該先端側突出部が、該基部側突出部の突出先端面の中央部から突出し、該基部側突出部の突出先端面の両端部に、足裏当て部を夫々設けたことを特徴とする請求項１又は２記載の半身浴用腰掛部付き浴槽。
【発明の詳細な説明】
【技術分野】
【０００１】
本発明は、半身浴するときに座ることができる高さの腰掛部を浴槽内に設けた半身浴用腰掛部付き浴槽に関するものである。
【背景技術】
【０００２】
近年、浴槽内に腰掛部を設け、この腰掛部に子供が座って入浴したり、大人が座って半身浴をしたりするようにした腰掛部付き浴槽が提供されている（例えば、特許文献１、特許文献２参照）。
【０００３】
特許文献１記載の浴槽では、図５（ａ）のように、浴槽１の長辺方向の一端に浴槽１の短辺方向の全域に亘って半身浴用腰掛部５が設けられている。このような浴槽１に入浴する場合、浴槽１の長辺方向の他端側の内壁面に凭れて入浴することになる。このとき入浴者Ｍは、図５（ｂ）のように、半身浴用腰掛部５の上に足先を載せた不安定な状態で入浴するか、図５（ｃ）のように、膝を大きく曲げた窮屈な状態で入浴しなければならない。
【０００４】
そこで、浴槽１内に半身浴用腰掛部５を設けながらも、膝を曲げずに下肢を伸ばした姿勢で入浴できるようにするために、特許文献２には図６（ａ）に示すような浴槽が提案されている。この浴槽１は、長辺方向の内壁面と短辺方向の内壁面とがなす角部に半身浴用腰掛部５を平面視略三角形状に設けたものである。このような浴槽に入浴する場合、膝を曲げずに下肢を伸ばし、尚且つ浴槽１内での体のバランスを保つためには、浴槽１の対角線上に、体を保持する必要がある。ここで、下肢先端に近づくほど半身浴用腰掛部５と対向する浴槽長辺側内壁面との間が狭くなっていくので、股を閉じた窮屈な姿勢でないと膝を曲げずに下肢を伸ばした姿勢で入浴することができない。また、浴槽１の対角線上に体を保持するため、背凭れ部分が角部に位置し、不安定になる。
【０００５】
また、上記のように平面視略三角形状に半身浴用腰掛部５を設けた場合、図6（ｂ）のように、浴槽１の長辺方向の内壁面と短辺方向の内壁面とがなす角部に、臀部後部Ｍ１を当接するように腰掛けることはできない。また、半身浴用腰掛部５上の臀部を支える部分を前後方向で長く取ることができず、安定して座ることが難しい。
【先行技術文献】
【特許文献】
【０００６】
【特許文献１】特開２００８−２１２１８２号公報
【特許文献２】特開２００６−６６５６号公報
【発明の概要】
【発明が解決しようとする課題】
【０００７】
本発明の半身浴用腰掛部付き浴槽は、安定して臀部を支えることができる程度の半身浴用腰掛部を浴槽内に設けているにも関わらず、上肢、下肢ともに力の入っていない楽な状態で入浴できる浴槽を提供することを課題とする。
【課題を解決するための手段】
【０００８】
上記課題を解決するための本発明の半身浴用腰掛部付き浴槽は、平面視略長方形状の浴槽１の短辺側の両内壁面のうち、一方側を背凭れ用内壁面２ａとすると共に、他方側を足先置き用内壁面２ｂとする浴槽１において、浴槽底面４と足先置き用内壁面２ｂとのなす角部の浴槽１の短辺方向の中央部に半身浴用腰掛部５を設け、平面視略長方形状の浴槽１の長辺側の両内壁面２ｃと、該両内壁面２ｃに対向する該半身浴用腰掛部５の両側面５ｃとの間に夫々足先配置用隙間６を設けたことを特徴とする。
【０００９】
上記構成とすることで、半身浴時、臀部後部Ｍ１が足先置き用内壁面２ｂに当接するように半身浴用腰掛部５に腰掛けることができ、また、臀部を実際に支える臀部前後方向の長さを十分に取ることができる。さらに、通常入浴時、背凭れ用内壁面２ａの浴槽短辺方向の中央部に、安定して凭れることができるので、上肢は、力の入っていない楽な状態で伸ばすことができる。また、浴槽短辺方向の両端に足先配置用隙間６を設けているので、下肢は、軽く股を開いて膝を曲げずに力の入っていない楽な状態で伸ばすことができる。
【００１０】
また、上記半身浴用腰掛部５の足先置き用内壁面２ｂからの突出先端側が、突出基部側よりも、幅が狭くなっていることが好ましい。このような構成とすることで、長辺側の両内壁面２ｃと、半身浴用腰掛部５の両側面５ｃとの間の足先配置用隙間６を、突出先端側に近づくほど広く取ることができる。
【００１１】
また、上記半身浴用腰掛部５が、足先置き用内壁面２ｂから突出させた基部側突出部５ｂと、該基部側突出部５ｂの突出先端面から浴槽１内方に向けて突出させた先端側突出部５ａからなり、該先端側突出部５ａが、該基部側突出部５ｂの突出先端面の中央部から突出し、該基部側突出部５ｂの突出先端面の両端部に、足裏当て部７を夫々設けることが好ましい。このような構成とすることで、中身長者や、低身長者が、軽く股を開いて膝を曲げずに下肢を伸ばした力の入ってない楽な状態で、半身浴用腰掛部５の浴槽短辺方向の両端に設けた足裏当て部７に足裏を夫々当てることができる。ここで、高身長者は、軽く股を開いて膝を曲げずに下肢を伸ばした力の入ってない楽な状態で、足先配置用隙間６の足先置き用内壁面２ｂに足裏を当てることができる。
【発明の効果】
【００１２】
本発明は、臀部を安定して支える程度の半身浴用腰掛部を浴槽内に設けているにも関わらず、上肢、下肢ともに力の入っていない楽な状態で入浴できるという効果がある。
【００１３】
また、上記半身浴用腰掛部の突出先端側が、幅が狭くなっていることで、突出先端側の足先配置用隙間を広く取ることができるので、股を軽く開いて膝を曲げずに下肢を伸ばした姿勢で、足先配置用隙間に足先をスムーズに配置させることができるという効果がある。
【００１４】
また、上記半身浴用腰掛部の浴槽短辺方向の両端に足裏当て部を設けたことで、背の高さに関わらず、力の入っていない楽な状態で、足先置き用内壁面もしくは半身浴用腰掛部に足裏を当て、姿勢を安定させて入浴することができるという効果がある。
【図面の簡単な説明】
【００１５】
【図１】本発明の実施形態の一例の浴槽の概要斜視図である。
【図２】（ａ）は同上の半身浴用腰掛部に腰掛け、半身浴をしている状態の概要平面図であり、（ｂ）は同上の浴槽に通常入浴をしている状態の概要平面図である。
【図３】同上の浴槽に通常入浴をしている状態の概要側面図であり、（ａ）は高身長者、（ｂ）は中身長者、（ｃ）は低身長者の状態である。
【図４】（ａ）、（ｂ）、（ｃ）は本発明の実施の形態の他例の浴槽の概要平面図である。
【図５】従来の浴槽に入浴をしている状態の図であり、（ａ）は通常入浴をしている状態の概要平面図であり、（ｂ）、（ｃ）は通常入浴をしている状態の概要側面図であり、（ｄ）は半身浴をしている状態の概要平面図である。
【図６】従来の浴槽に入浴をしている状態の図であり、（ａ）は通常入浴をしている状態の概要平面図であり、（ｂ）は半身浴をしている状態の概要平面図である。
【発明を実施するための形態】
【００１６】
以下、本発明を添付図面に示す実施形態に基づいて説明する。
【００１７】
本発明の実施形態の浴槽１は一般家庭用サイズの浴槽であり、図１に示すように平面視にて略長方形状に形成されており、浴槽内壁面周縁にフランジ３を設けてある。通常入浴の際、浴槽１の短辺側の両内壁面は、一方側は背凭れ用内壁面２ａとなっており、他方側は足先置き用内壁面２ｂとなっている。通常入浴時、背凭れ用内壁面２ａの浴槽短辺方向の中央部に、背を安定して凭れさせることができるので、上肢は、力の入っていない楽な状態で伸ばすことができる。ここで、足先置き用内壁面２ｂは、浴槽内壁面周縁に近づくほど浴槽１の外方に位置するように若干傾斜している。なお、本明細書中の足先は、足首から下の部分を意味する。
【００１８】
浴槽底面４と足先置き用内壁面２ｂとがなす角部の、浴槽１の短辺方向の中央部からは、浴槽１と一体に半身浴用腰掛部５が成形されている。上記半身浴用腰掛部５の高さは、半身浴をするための好適な高さに設定されている。また、上記半身浴用腰掛部５の、足先置き用内壁面２ｂから背凭れ用内壁面２ａに向かう方向の長さは、安定して臀部を支えることができる程度の長さに設定されている。
【００１９】
ここで、半身浴用腰掛部５は、足先置き用内壁面２ｂの浴槽１の短辺方向の中央部から形成されているので、入浴者Ｍは、臀部後部Ｍ１が足先置き用内壁面２ｂに当接するように半身浴用腰掛部５に腰掛けることができる。つまり、浴槽１の長辺方向の内壁面と短辺方向の内壁面とがなす角部に平面視略三角形状に半身浴用腰掛部５を設けた場合［図６（ａ）参照］と比べ、臀部を安定して支えることができる。
【００２０】
そして、浴槽１の長辺側の内壁面２ｃに対向する半身浴用腰掛部５の側面５ｃと、浴槽の長辺側の内壁面２ｃとの間には、足先を配置するための足先配置用隙間６を設けている。ここで、足先配置用隙間６は、浴槽１の足先置き用内壁面２ｂ側の浴槽短辺方向の両端に設けているので、入浴者Ｍは、図２（ｂ）のように軽く股を開いて膝を曲げずに下肢を伸ばした力の入っていない楽な状態で入浴することができる。
【００２１】
このような構成とすることで、図２（ａ）に示すように力の入っていない楽な状態で安定して半身浴用腰掛部５に腰掛けて半身浴をすることができるにも関わらず、上肢、下肢ともに力の入っていない楽な状態で入浴できる。また、半身浴用腰掛部５に足先を載せなくても、足先配置用隙間６に膝を曲げずに下肢を伸ばすことができるので、図３（ａ）のように浴槽１内の湯量が半身浴用腰掛部５を少し越える程度の量であったとしても、伸ばした下肢が、水面より上に出てしまうことがない。また、高身長者は、図３（ａ）のように、軽く股を開いて膝を曲げずに下肢を伸ばした力の入っていない楽な状態で、足裏を足先配置用隙間６の足先置き用内壁面２ｂに当てて、姿勢を安定させて入浴することができる。
【００２２】
ここで、半身浴用腰掛部５の形状としては、足先置き用内壁面２ｂからの突出先端側の部分が、突出基部側の部分よりも、幅が狭くなっていることが好ましい。例えば、半身浴用腰掛部５の形状が、平面視凸字状であったり、平面視三角形状であったり（図示せず）、平面視半楕円状であったり（図示せず）するような場合である。このような形状とすれば、浴槽１の長辺側の両内壁面２ｃと、半身浴用腰掛部５の両側面５ｃとの間の足先配置用隙間６を、突出先端側に近づくほど広く取ることができ、股を軽く開いて膝を曲げずに下肢を伸ばした姿勢で、足先配置用隙間６に足先をスムーズに配置させることができる。
【００２３】
本発明の実施形態１を示す図１では、半身浴用腰掛部５が、足先置き用内壁面２ｂから突出させた基部側突出部５ｂと、その基部側突出部５ｂの突出先端面から、背凭れ用内壁面２aに向かう方向（浴槽内方）に向けて突出させた先端側突出部５ａから出来ている。上記先端側突出部５ａは、基部側突出部５ｂの突出先端の中央部から突出させている。そして、その突出させた部分以外の両端の基部側突出部５ｂの突出先端面に、足裏当て部７を夫々設けている。ここで、先端側突出部５ａの突出先端面８と、足裏当て部７を設けた基部側突出部５ｂの突出先端面は、浴槽底面４から足先置き用内壁面２ｂに近づくほど浴槽１の外方に位置するように若干傾斜しており、足首に負担がかからないような状態で足裏を当てることができるようになっている。
【００２４】
このような構成とすることで、図３（ｂ）のように、中身長者は、半身浴用腰掛部５の浴槽短辺方向の両端に設けた足裏当て部７に夫々の足裏を当てることができるので、股を軽く開き膝を曲げずに下肢を伸ばした力の入っていない楽な状態で、姿勢を安定させて入浴することができる。また、図３（ｃ）のように、低身長者は、半身浴用腰掛部５の先端側突出部５ａの突出先端面８に足裏を当てることができるので、股を軽く開き膝を曲げずに下肢を伸ばした力の入っていない楽な状態で、姿勢を安定させて入浴することができる。また、上記の通り、高身長者は、軽く股を開いて膝を曲げずに下肢を伸ばした力の入っていない楽な状態で、足先配置用隙間６の足先置き用内壁面２ｂに足裏を当てて、姿勢を安定させて入浴することができる。
【００２５】
上記のように、足裏を当てる部分を浴槽１内に複数対設けることで、背の高さに合わせて、股を軽く開き膝を曲げずに下肢を伸ばした力の入っていない楽な状態で、姿勢を安定させることができ、入浴中にバランスを崩すことを防止することができる。ここで、足裏当て部７、先端側突出部５ａの突出先端面８は、足裏を当ててずれない様にするために、別途、滑り止め部を設けても良い。
【００２６】
また、本発明の実施形態２を示す図４（ａ）には、半身浴用腰掛部５の他形状を示している。この半身浴用腰掛部５は、足先置き用内壁面２ｂからの突出部の突出先端面８と、浴槽１の長辺側の内壁面２ｃと対向する半身浴用腰掛部５の側面５ｃとがなす角が面取りされている。
【００２７】
このようして半身浴用腰掛部５を広く設けることで、半身浴の際には、臀部を安定して載せることができる。また突出先端面８と半身浴用腰掛部５の側面５ｃとがなす角を大きく面取りすることで、足先配置用隙間６に下肢を伸ばしやすくしている。図では平面視直線状に面取りされているが、平面視外方に突出する円弧状に面取りしても良い。
【００２８】
また、本発明の実施形態３を示す図４（ｂ）、実施形態４を示す図４（ｃ）には、半身浴用腰掛部５の他形状を表している。これらの半身浴用腰掛部５は、実施形態１を示す図１の半身浴用腰掛部５を浴槽長辺方向に向けて多段の平面視階段状に設けており、足裏当て部７が複数対設けられている。このような構成とすることで、細やかな身長差に応じて、股を軽く開いて下肢を伸ばした力の入っていない楽な状態で、足裏を半身浴用腰掛部５の足裏当て部７に当て、姿勢を安定させて入浴することができる。
【００２９】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３０】
Ｍ      入浴者
１     浴槽
２ａ   浴槽の背凭れ用内壁面
２ｂ   浴槽の足先置き用内壁面
２ｃ   浴槽の長辺側内壁面
４     浴槽底面
５     半身浴用腰掛部
５ａ   半身浴用腰掛部の先端側突出部
５ｂ   半身浴用腰掛部の基部側突出部
５ｃ   半身浴用腰掛部の側面
６     足先配置用隙間
７      足裏当て部
８     半身浴用腰掛部の突出先端面
【図１】
2010253066.tif 000003
【図２】
2010253066.tif 000004
【図３】
2010253066.tif 000005
【図４】
2010253066.tif 000006
【図５】
2010253066.tif 000007
【図６】
2010253066.tif 000008